(57)【要約】【課題】容易に配線の接続作業を行うことができ、且つ、ケース部材を小型化することができる回路遮断器を提供する。【解決手段】回路遮断器１において、電子基板５を収容するケース部材６を、隣接する２面が開口するケース本体６Ａと、ケース本体６Ａに対して着脱自在で且つケース本体６Ａの少なくとも１面の開口を開閉するカバー６Ｂとから構成した。したがって、カバー６Ｂを取り外すことにより、配線の引き回し等の配線接続に係る作業を容易に行うことができるし、余長も短くて済み、ケース部材６の小型化を図ることができる。【選択図】図１
2010262783.tif 000002
【特許請求の範囲】
【請求項１】
短絡や過電流等の異常電流を検知する電子基板と、当該電子基板を収容する略直方体の箱状に成形されたケース部材とを備えてなる回路遮断器であって、
前記ケース部材が、少なくとも隣接する２面が開口するケース本体と、前記開口のうち少なくとも１面を開閉するカバーとからなることを特徴とする回路遮断器。
【請求項２】
前記カバーが、前記ケース本体に対して着脱自在であることを特徴とする請求項１に記載の回路遮断器。
【請求項３】
前記ケース本体が背板、底板、及び一対の側板を一体成形してなる箱状体で、正面及び上面が開口している一方、前記カバーが前記正面の開口を開閉するものであって、
前記側板の正面側端部の内面にレール溝を設け、当該レール溝に前記カバーの左右両側縁を係合させることによって前記カバーを前記ケース本体に取付可能としたことを特徴とする請求項２に記載の回路遮断器。
【請求項４】
前記カバーの下端部に、下方へ突出する係止片を設ける一方、前記ケース本体の底板の正面側端部に、前記カバーにより前記正面の開口を閉塞した際、前記係止片が係止する係止孔を開設したことを特徴とする請求項３に記載の回路遮断器。
【請求項５】
前記ケース本体の底板の正面側縁に、上方へ突出するリブを設ける一方、前記カバーの下端部に、前記正面の開口を閉塞した際、前記リブの前面に当接した状態で位置する重ねリブを設けたことを特徴とする請求項３又は４に記載の回路遮断器。
【請求項６】
一方端部に電源側端子が、他方端部に負荷側端子が設けられているとともに、電路開閉部が電源側端子の近傍に設けられた回路遮断器であって、
前記ケース部材が、前記ケース本体の正面を前記負荷側端子側に向けた姿勢で備えられていることを特徴とする請求項３〜５の何れかに記載の回路遮断器。
【発明の詳細な説明】
【技術分野】
【０００１】
本発明は、たとえば分電盤内等に設置され、過電流や短絡等の発生といった異常を検知すると遮断動作する回路遮断器に関するものである。
【背景技術】
【０００２】
従来、過電流や短絡等を検出する電子回路を内蔵してなる回路遮断器（たとえば、特許文献１）において、電子回路が設けられた電子基板は、短絡検出時等に生じるアークガスの影響を受けないよう、合成樹脂製のケース部材に収容されている。そして、このケース部材は、上面にのみ開口し、内部に収容空間を有する箱状に一体成形された１つの部材で構成（特許文献１第９図）されている。そのため、ケース部材に電子基板を収容する際には、一旦ケース部材内へ引き入れた配線をケース部材外に引き出して電子基板に接続した後に、ケース部材内へ電子基板及び配線の余長を収容していた。
【先行技術文献】
【特許文献】
【０００３】
【特許文献１】実用新案登録第２５９２６７１号公報
【発明の概要】
【発明が解決しようとする課題】
【０００４】
しかしながら、従来の回路遮断器では、ケース部材が１つの部材から構成され、１つの面にしか開口を有していないため、ケース部材から引き出されている配線の引き回しが困難であり、作業性が悪い。また、引き回しが困難であるがゆえ、配線の余長を長めにとる必要があることから、ケース部材の収容空間を大きく成形しなければならず、ケース部材の大型化を招くことになる。一方、収容空間を電子基板と略同じ程度の大きさに抑え、当該ケース部材内へ余長を無理矢理収容させると、ケース部材の側面等が変形して隙間が生じてしまい、当該隙間からアークガス等が侵入してしまうといった問題が起こり得る。
【０００５】
そこで、本発明は、上記問題に鑑みなされたものであって、容易に配線の接続作業を行うことができ、且つ、ケース部材を小型化することができる回路遮断器を提供しようとするものである。
【課題を解決するための手段】
【０００６】
上記目的を達成するために、本発明のうち請求項１に記載の発明は、短絡や過電流等の異常電流を検知する電子基板と、当該電子基板を収容する略直方体の箱状に成形されたケース部材とを備えてなる回路遮断器であって、前記ケース部材が、少なくとも隣接する２面が開口するケース本体と、前記開口のうち少なくとも１面を開閉するカバーとからなることを特徴とする。
請求項２に記載の発明は、請求項１に記載の発明において、前記カバーが、前記ケース本体に対して着脱自在であることを特徴とする。
請求項３に記載の発明は、請求項２に記載の発明において、前記ケース本体が背板、底板、及び一対の側板を一体成形してなる箱状体で、正面及び上面が開口している一方、前記カバーが前記正面の開口を開閉するものであって、前記側板の正面側端部の内面にレール溝を設け、当該レール溝に前記カバーの左右両側縁を係合させることによって前記カバーを前記ケース本体に取付可能としたことを特徴とする。
請求項４に記載の発明は、請求項３に記載の発明において、前記カバーの下端部に、下方へ突出する係止片を設ける一方、前記ケース本体の底板の正面側端部に、前記カバーにより前記正面の開口を閉塞した際、前記係止片が係止する係止孔を開設したことを特徴とする。
請求項５に記載の発明は、請求項３又は４に記載の発明において、前記ケース本体の底板の正面側縁に、上方へ突出するリブを設ける一方、前記カバーの下端部に、前記正面の開口を閉塞した際、前記リブの前面に当接した状態で位置する重ねリブを設けたことを特徴とする。
請求項６に記載の発明は、請求項３〜５の何れかに記載の発明において、一方端部に電源側端子が、他方端部に負荷側端子が設けられているとともに、電路開閉部が電源側端子の近傍に設けられた回路遮断器であって、前記ケース部材が、前記ケース本体の正面を前記負荷側端子側に向けた姿勢で備えられていることを特徴とする。
【発明の効果】
【０００７】
本発明によれば、ケース部材が、少なくとも隣接する２面が開口するケース本体と、開口のうち少なくとも１面を開閉するカバーとからなるため、ケース本体に開口が多く、配線の引き回し等の配線接続に係る作業を容易に行うことができるし、余長も短くて済み、ケース部材の小型化を図ることができる。
また、請求項２に記載の発明によれば、カバーが、ケース本体に対して着脱自在であるため、カバーを取り外すことにより、配線の接続作業時にカバーが邪魔になったりすることがなく、作業性の更なる向上を図ることができる。
さらに、請求項３に記載の発明によれば、側板の正面側端部の内面にレール溝を設け、当該レール溝にカバーの左右両側縁を係合させることによってカバーをケース本体に取付可能としているため、ケース部材の側面からのアークガスの侵入を確実に防止することができる。
さらにまた、請求項４に記載の発明によれば、カバーの下端部に、下方へ突出する係止片を設ける一方、ケース本体の底板の正面側端部に、カバーにより正面の開口を閉塞した際、係止片が係止する係止孔を開設しているため、配線の余長等によってカバーが大きく撓んだりすることがなく、アークガスの侵入をより確実に防止することができる。
またさらに、請求項５に記載の発明によれば、ケース本体の底板の正面側縁に、上方へ突出するリブを設ける一方、カバーの下端部に、正面の開口を閉塞した際、リブの前面に当接した状態で位置する重ねリブを設けているため、当該部位が二重構造となり、カバーの下縁と底板との隙間からアークガスが侵入する事態を効果的に防止することができる。
加えて、請求項６に記載の発明によれば、一方端部に電源側端子が、他方端部に負荷側端子が設けられているとともに、電路開閉部が電源側端子の近傍に設けられた回路遮断器であって、ケース部材が、ケース本体の正面を負荷側端子側に向けた姿勢で備えられているため、アークガスの発生部とカバーにより開閉する正面の開口とが離れており、アークガスが正面の開口を介してケース部材内へ侵入しづらくなっている。
【図面の簡単な説明】
【０００８】
【図１】回路遮断器を示した斜視説明図である。
【図２】ケース本体とカバーとを分解した状態にあるケース部材を示した斜視説明図である。
【図３】カバーをケース本体に取り付けた状態にあるケース部材を示した斜視説明図である。
【発明を実施するための形態】
【０００９】
以下、本発明の一実施形態となる回路遮断器について、図面にもとづき詳細に説明する。
【００１０】
回路遮断器１は、基台１ａと基台１ａの上方を覆うように組み付けられる蓋部材（図示せず）とにより形成される内部空間に、電路をオン／オフ操作するための操作ハンドル２、電源側端子３、３・・、負荷側端子４、４・・、短絡や過電流等の異常電流の発生を検知するための電子回路が形成された電子基板５、及び電子基板５を収容する略直方体のケース部材６等を備えてなる。そして、電子基板５において異常電流の発生が検知されると、操作ハンドル２を作動させて電路をオフするといったトリップ動作（遮断動作）を実行するようになっている。尚、図１において、電子基板５に接続されている配線は省略している。また、図示しない電路開閉部は電源側端子３、３・・近傍に設けられており、アークガスは電源側端子３、３・・側で発生する。
【００１１】
ここで、本発明の要部となるケース部材６について、詳細に説明する。
ケース部材６は、ケース本体６Ａと、ケース本体６Ａに着脱自在なカバー６Ｂとからなる。ケース本体６Ａは、背板１１、底板１２、及び一対の側板を一体的に備えてなる箱状体で、隣接する２面（ここでは正面及び上面）が開口している。各側板１３の正面側端部の内面には、カバー６Ｂを取り付けるためのレール溝１４が上下方向に刻設されている。また、底板１２の正面側端部の略中央位置には、カバー６Ｂの係止片２２が係止可能な係止孔１５が穿設されている。さらに、底板１２の正面側端縁に沿って、上方へ突出するリブ１６が設けられている。加えて、背板１１の上端縁は、電子基板５を固定するために後方へ折り返されており、折り返し部の後端にも、上方へ突出するリブ１７が設けられている。尚、底板１２の前端部左右両側には、ケース部材６内へ配線を引き込むための引込孔が設けられている。
【００１２】
一方、カバー６Ｂは、左右方向へ長い一枚の板状部材であって、カバー６Ｂの左右両側端縁には、レール溝１４に係合可能で上下方向へ延びる係合凸条２１が外方へ突設されており、係合凸条２１をレール溝１４に係合させた状態で上下方向へスライドさせることによりケース本体６Ａの正面開口を開閉可能となっている。また、カバー６Ｂの中央下端部には、図３に示す如くカバー６Ｂによりケース本体６Ａの正面開口を閉塞した際、係止孔１５へ係止する係止片２２が下方へ突設されている。さらに、カバー６Ｂの下端部で係止片２２の左右両側には、カバー６Ｂによりケース本体６Ａの正面開口を閉塞した際、リブ１６の前面に当接した状態で位置する重ねリブ２３、２３が下方へ突設されている。
【００１３】
以上のように構成されるケース部材６は、ケース本体６Ａの背板１１が電源側端子３、３・・側を向く姿勢、すなわちカバー６Ｂにより閉塞される正面開口が負荷側端子４、４・・側を向く姿勢で、基台１ａ上に設置される。また、当該ケース部材６への電子基板５の収容については、カバー６Ｂをケース本体６Ａから取り外した状態において、引込孔を介して配線を引き出し、電子基板５に配線を接続する。その後、電子基板５をケース本体６Ａに固定した後、カバー６Ｂを取り付けてケース本体６Ａの正面開口を閉塞し、電子基板５及び配線の余長をケース部材６内に収容する。尚、ケース部材６の上面開口は、基台１ａに組み付けられる蓋部材によって覆われ、蓋部材の内面にリブ１７が当接することによって閉塞されることになる。
【００１４】
上述したように回路遮断器１によれば、電子基板５を収容するケース部材６が、隣接する２面が開口するケース本体６Ａと、ケース本体６Ａに対して着脱自在で且つケース本体６Ａの少なくとも１面の開口を開閉するカバー６Ｂとからなるため、カバー６Ｂを取り外すことにより、配線の引き回し等の配線接続に係る作業を容易に行うことができるし、余長も短くて済み、ケース部材６の小型化を図ることができる。
また、ケース部材６が、カバー６Ｂ側を負荷側端子４、４・・側へ向けた姿勢で設置されているため、アークガスの発生部とカバー６Ｂにより開閉する正面開口とが離れており、アークガスが正面開口を介してケース部材６内へ侵入しづらくなっている。
さらに、カバー６Ｂを取り付けるためのレール溝１４をケース本体６Ａの側板１３、１３内面に設けているため、ケース部材６の側面からのアークガスの侵入を確実に防止することができる。
【００１５】
さらにまた、カバー６Ｂの中央下端部に係止片２２を設けており、正面開口を閉塞した際、係止片２２を係止孔１５に係止させるため、配線の余長等によってカバー６Ｂが大きく撓んだりすることがなく、アークガスの侵入をより確実に防止することができる。
またさらに、カバー６Ｂの下端部に重ねリブ２３、２３を設ける一方、ケース本体６Ａの底板１２の前端縁に沿って上方へ突出するリブ１６を設けており、カバー６Ｂにより正面開口を閉塞した際、重ねリブ２３、２３の後面とリブ１６の前面とが当接した二重構造となるように構成している。したがって、カバー６Ｂの下縁と底板１３との隙間からアークガスが侵入する事態を効果的に防止することができる。
【００１６】
なお、本発明の回路遮断器に係る構成は、上記実施形態の態様に何ら限定されるものではなく、ケース本体及びカバー等に係る構成を、本発明の趣旨を逸脱しない範囲で適宜変更することができる。
【００１７】
たとえば、上記実施形態では、カバーをケース本体に対して着脱自在としているが、必ずしも取り外し可能に構成する必要はなく、ケース本体に対してカバーを片開き可能に取り付けてケース部材を構成することも可能である。
また、カバーの形状も適宜変更可能であって、たとえば上記実施形態のケース本体に対し、その上面開口までもを閉塞する側面視Ｌ字状のカバーとしても何ら問題はないし、正面開口を開閉するカバーと上面開口を開閉するカバーとの２つのカバーを備えるように構成することも可能である。
さらに、ケース本体のどの面を開口させるかについても適宜設計変更可能であって、上面と側面とが開口していてもよいし、正面と左右両側面の３面を開口させても何ら問題はない。ただ、開口する面が多くなればなるほどアークガス侵入のおそれは増すため、上記実施形態に記載のものがベストとなる。
加えて、カバーに設ける係止片や重ねリブの有無や数、位置等についても適宜変更可能であるし、ケース部材の基台上での設置位置についても上記実施形態に何ら限定されないことは言うまでもない。
【符号の説明】
【００１８】
１・・回路遮断器、３・・電源側端子、４・・負荷側端子、５・・電子基板、６・・ケース部材、６Ａ・・ケース本体、６Ｂ・・カバー、１１・・背板、１２・・底板、１３・・側板、１４・・レール溝、１５・・係止孔、１６、１７・・リブ、２１・・係合凸条、２２・・係止片、２３・・重ねリブ。
【図１】
2010262783.tif 000003
【図２】
2010262783.tif 000004
【図３】
2010262783.tif 000005